(57)【要約】【課題】グレアカットキャップが取付けられているランプを、容易に交換することができる照明器具を提供する。【解決手段】光源２６が照射方向へスライド可能であるとともに、円筒形状に形成されたグレアカットキャップ２８を光源２６が貫通可能なので、グレアカットキャップ２８を取り除くことなく、グレアカットキャップ２８の前方から直接光源２６の着脱が可能となる。これにより、光源２６を容易に交換することができる。【選択図】図１
2010170956.tif 000002
【特許請求の範囲】
【請求項１】
光源と、
前記光源からの光を所定の方向へ反射する反射板と、
前記光源からの光をグレアカットするグレアカットキャップと、を有する照明器具であって、
前記グレアカットキャップが円筒形状であり、
前記光源が照射方向へスライド可能且つ前記グレアカットキャップを貫通可能であることを特徴とする照明器具。
【請求項２】
前記グレアカットキャップが、照射方向へスライドおよび固定可能であることを特徴とする請求項１記載の照明器具。
【発明の詳細な説明】
【技術分野】
【０００１】
本発明は、ランプから出射する光のグレアを防止するために、ランプの前方にグレアカットキャップを有する照明器具に関するものである。
【背景技術】
【０００２】
従来より、グレアを防止するために、ランプの前方にグレアカットキャップを有する照明器具が提案されている（例えば特許文献１参照）。
図３に示すように、特許文献１に記載の照明器具１００は、高輝度ランプ１０１と、高輝度ランプ１０１からの光を所定の方向へ反射する反射板１０２と、高輝度ランプ１０１が取付けられるソケットハウジング１０３と、高輝度ランプ１０１からの光を遮って眩しさを低減するグレアカットキャップ１１０とを備える。
【０００３】
グレアカットキャップ１１０は、高輝度ランプ１０１の先端部を覆うキャップ部１１１と、キャップ部１１１を支持する支持アーム１１２とを備える。支持アーム１１２の一端に設けられた連結部１１３には長孔１１４が形成されており、この長孔１１４は、つまみねじ１１５によって、ソケットハウジング１０３から突設された台座部１０４に連結されている。これにより、グレアカットキャップ１１０は、ソケットハウジング１０３に対して回動自在、かつスライド自在に取付けられる。
【０００４】
従って、高輝度ランプ１０１の交換の際には、ユーザは、つまみねじ１１５を緩めて、高輝度ランプ１０１に被せられているグレアカットキャップ１１０を、まず照射方向の前方へスライド移動させる。グレアカットキャップ１１０を高輝度ランプ１０１から外した後、つまみねじ１１５を支持点として支持アーム１１２を図３中Ｂ方向へ回動させる。これにより、高輝度ランプ１０１の前方に大きな作業空間が形成されるので、ユーザは高輝度ランプ１０１の交換作業を容易に行える。
【先行技術文献】
【特許文献】
【０００５】
【特許文献１】特開２００８−２９３９３２号公報（第９図）
【発明の概要】
【発明が解決しようとする課題】
【０００６】
しかしながら、前述したような従来の照明器具においては、高輝度ランプ１０１の交換の際には、高輝度ランプ１０１に被せてあるグレアカットキャップ１１０を外さなければならず、面倒であるという問題があった。
【０００７】
本発明は、従来の問題を解決するためになされたもので、グレアカットキャップが取付けられている光源を、容易に交換することができる照明器具を提供することを目的とする。
【課題を解決するための手段】
【０００８】
本発明の照明器具は、光源と、前記光源からの光を所定の方向へ反射する反射板と、前記光源からの光をグレアカットするグレアカットキャップと、を有する照明器具であって、前記グレアカットキャップが円筒形状であり、前記光源が照射方向へスライド可能且つ前記グレアカットキャップを貫通可能である構成を有している。
【０００９】
この構成により、光源が照射方向へスライド可能であるとともに、円筒形状に形成されたグレアカットキャップを光源が貫通可能なので、グレアカットキャップを取り除くことなく、グレアカットキャップの前方から直接光源の着脱が可能となる。これにより、光源を容易に交換することができる。
【００１０】
また、本発明の照明器具は、前記グレアカットキャップが、照射方向へスライドおよび固定可能である構成を有している。
【００１１】
この構成により、グレアカットキャップを照射方向へスライドさせて固定することにより、光源に対するグレアカットキャップの位置を調整することができるので、グレアカット角を容易に調整することができる。また、グレアカットキャップをスライドさせることにより、光源をグレアカットキャップから突出させることができるので、光源の交換が容易になる。
【発明の効果】
【００１２】
本発明は、光源が照射方向へスライド可能であるとともに、円筒形状に形成されたグレアカットキャップを光源が貫通可能なので、グレアカットキャップを取り除くことなく、グレアカットキャップの前方から直接光源の着脱が可能となる。これにより、光源を容易に交換することができるという効果を有する照明器具を提供することができるものである。
【図面の簡単な説明】
【００１３】
【図１】（Ａ）は本発明の第１実施形態にかかる照明器具の通常使用時を示す断面図、（Ｂ）はランプ交換時を示す断面図
【図２】（Ａ）は本発明の第２実施形態にかかる照明器具の通常使用時を示す断面図および係止部の正面図、（Ｂ）はグレアカットキャップを移動させた状態を示す断面図および係止部の正面図
【図３】従来の照明器具の断面図
【発明を実施するための形態】
【００１４】
（第１実施形態）
以下、本発明の第１実施形態の照明器具について、図面を用いて説明する。
図１（Ａ）は本発明の第１実施形態にかかる照明器具の通常使用時を示す断面図、図１（Ｂ）はランプ交換時を示す断面図である。
【００１５】
図１に示すように、第１実施形態にかかる照明器具１０は、例えば、天井等に取付けられるダウンライト等として使用することができる。照明器具１０は灯体２０を有し、天井等の被取付部に直接、あるいは灯体２０を支持するアーム部材を介して取付けられる。
灯体２０は、照射方向の前端に開口２０１を有し、後端部には後壁２０２を有する。後壁２０２の中央には、ねじ部材２１が回転可能に取付けられている。ねじ部材２１は、灯体２０の後方に露出する頭部２１１と、後壁２０２を貫通して灯体２０の内部に露出するねじ部２１２を有する。
従って、外部から灯体２０の頭部２１１を回転させることにより、ねじ部１２１が回転させられる。
【００１６】
灯体２０の後壁２０２の内面には、ねじ部材２１を中心として、複数本のガイド棒２２が、灯体２０の内部に向かって平行に設けられている。各ガイド棒２２には、スプリング２３がガイド棒２２に沿って伸縮自在に取付けられている。
【００１７】
各ガイド棒２２におけるスプリング２３の前側（照射側）には、Ｌ字形状をしたガイド部材２４が摺動可能に設けられており、このガイド部材２４の前側は、ソケット２５に取付けられている。ソケット２５の前部には、光源である高輝度ランプ２６（以後、「ランプ２６」という。）が、交換可能に取付けられる。ソケット２５の後面中央には、ねじ部材２１のねじ部２１２が螺合している。
【００１８】
従って、ねじ部材２１の頭部２１１を回転させることにより、ねじ部２１２に螺合しているソケット２５が、ガイド棒２２に沿って前後にスライドする。このとき、ソケット２５に取付けられているガイド部材２４と灯体２０の後壁２０２との間に設けられているスプリング２３が、ガイド部材２４を前方に付勢しているので、ねじ部材２１を回転させることにより、ねじ部材２１が後方へ移動することなく、ソケット２５は前後にスライドする。これに伴い、ランプ２６が前後にスライドする。
【００１９】
ランプ２６のスライド可能長さは、ねじ部材２１、ガイド棒２２、ガイド部材２４の長さを好適に設定することにより、自由に設定可能である。この際、ランプ２６が最も前方へスライドした状態でも、ガイド部材２４がガイド棒２２から脱落しないように設定するのが望ましい。これにより、ソケット２５は常にガイド棒２２に対して回転することなく、スライドすることができる。
【００２０】
灯体２０の内部には、ランプ２６の光を所定の方向へ反射させる反射板２７が設けられている。ランプ２６の先端側には、円筒形状のグレアカットキャップ２８が被せられており、ランプ２６からの光を所定の範囲だけ遮って、グレアカットを行う。グレアカットキャップ２８は、複数本の支持部材２９の内側端部に取付けられており、支持部材２９の外側端部は反射板２７に取付けられている。
【００２１】
以上、説明した第１実施形態にかかる照明器具１０によれば、ランプ２６が照射方向へスライド可能であるとともに、円筒形状に形成されたグレアカットキャップ２８の内部を貫通可能なので、ランプ２６の先端をグレアカットキャップ２８から突出させることができる。従って、ランプ２６をつかんで回転させることができるので、グレアカットキャップ２８を取り除くことなく、ランプ２６の着脱が可能となる。これにより、ランプ２６を容易に交換することができる。
また、ランプ２６とグレアカットキャップ２８との相対的な位置関係を調整することができるので、グレアカット角θを調整することができる。
【００２２】
（第２実施形態）
次に、本発明の第２実施形態の照明器具について、図面を用いて説明する。
図２（Ａ）は本発明の第２実施形態にかかる照明器具の通常使用時を示す断面図および係止部の正面図、図２（Ｂ）はグレアカットキャップを移動させた状態を示す断面図および係止部の正面図である。なお、前述した第１実施形態にかかる照明器具１０と共通する部位には同じ符号を付して、重複する説明を省略することとする。
【００２３】
図２に示すように、第２実施形態にかかる照明器具１０Ｂは、前述した第１実施形態にかかる照明器具１０において、反射板２７に係止部３１を設けて、グレアカットキャップ２８の支持部材２９を支持するようにした。係止部３１は、照射方向へ延びるスリット３１１と、スリット３１１に沿って複数段設けられたＬ字形状の引掛部３１２を有する。引掛部３１２の先端は、照射方向へ向いて形成されており、この位置にグレアカットキャップ２８が位置決めされる。
【００２４】
従って、グレアカットキャップ２８の位置を変更する際には、支持部材２９をスリット３１１に沿って照射方向に前後移動させてグレアカットキャップ２８を移動させる。その後、グレアカットキャップ２８を回転させて支持部材２９を引掛部３１２へ移動させ、さらにグレアカットキャップ２８を前方へ移動させて支持部材２９を固定する。
【００２５】
照明器具１０を下向きに使用する際には、グレアカットキャップ２８が落下しようとするので、引掛部３１２の先端を照射方向である下方へ向けて設けることにより、グレアカットキャップ２８の位置決めおよび固定がなされる。なお、引掛部３１２においてグレアカットキャップ２８の支持部材２９が固定されるようにすることも可能である。このようにすることにより、照明器具１０が横向きや上向きに照明する場合でも、グレアカットキャップ２８が固定される。
【００２６】
以上、説明した第２実施形態にかかる照明器具１０Ｂによれば、グレアカットキャップ２８を照射方向へスライドさせて固定することにより、ランプ２６に対するグレアカットキャップ２８の位置を調整することができるので、グレアカット角θを容易に調整することができる。
【００２７】
また、グレアカットキャップ２８をランプ２６の基端側（照射方向と反対側）へスライドさせることにより、相対的にランプ２６が照射方向へ移動することになるので、ランプ２６がグレアカットキャップ２８から突出する。このため、ランプ２６を直接つかむことができ、グレアカットキャップ２８を取り外すことなく、ランプ２６を容易に交換することができる。この際に、第１実施形態において前述したように、ねじ部材２１を回してランプ２６を前方へ移動させることにより、ランプ２６のグレアカットキャップ２８からの突出量が大きくなるので、よりつかみ易くなり、一層容易にランプ２６を交換することができる。
【００２８】
なお、本発明の照明器具は、前述した各実施形態に限定されるものでなく、適宜な変形，改良等が可能である。
【符号の説明】
【００２９】
１０  照明器具
２６  高輝度ランプ（光源）
２７  反射板
２８  グレアカットキャップ
【図１】
2010170956.tif 000003
【図２】
2010170956.tif 000004
【図３】
2010170956.tif 000005